(57)【要約】【課題】本発明は、酸素，水分等のガスや紫外線による電気光学層等の劣化を防止できるようにした電気光学装置の製造方法、及びこれにより製造された電気光学装置，電子機器を提供することを目的とする。【解決手段】基板２０上に、第１の電極２３，電気光学層６０，第２の電極５０を順に積層してなる電気光学素子を有する電気光学装置の製造方法であって、気相成長法により、上記基板２０上に、上記電気光学素子を覆うように紫外線吸収層３０を形成する工程と、プラズマ雰囲気を伴う気相成長法により、上記紫外線吸収層３０を覆うようにガスバリア層４０を形成する工程とを備える。【選択図】図１０
2008218423.tif 000002
【特許請求の範囲】
【請求項１】
基板上に、少なくとも第１の電極，電気光学層，第２の電極を順に積層してなる電気光学素子を有する電気光学装置の製造方法であって、
気相成長法により、上記基板上に、上記電気光学素子を覆うように紫外線吸収層を形成する工程と、
プラズマ雰囲気を伴う気相成長法により、上記紫外線吸収層を覆うようにガスバリア層を形成する工程とを備えたことを特徴とする、電気光学装置の製造方法。
【請求項２】
基板上に第１の電極を複数形成する工程と、
上記基板上に、上記第１の電極の形成位置に対応した複数の開口部を有するバンク構造体を形成する工程と、
上記バンク構造体の各開口部にそれぞれ電気光学層を形成する工程と、
上記バンク構造体及び上記各電気光学層を覆うように第２の電極を形成する工程と、
気相成長法により、上記基板上に、上記第２の電極を覆うように紫外線吸収層を形成する工程と、
プラズマ雰囲気を伴う気相成長法により、上記紫外線吸収層を覆うようにガスバリア層を形成する工程とを備えたことを特徴とする、電気光学装置の製造方法。
【請求項３】
上記バンク構造体の外側部を構成する面の、上記基板表面に対する角度は１１０°以上であることを特徴とする、請求項２記載の電気光学装置の製造方法。
【請求項４】
上記ガスバリア層を減圧下の高密度プラズマ雰囲気下で成膜することを特徴とする、請求項１〜３のいずれかの項に記載の電気光学装置の製造方法。
【請求項５】
上記紫外線吸収層は、エネルギーバンドギャップが２ｅＶから６ｅＶまでの酸化物半導体材料を主成分とすることを特徴とする、請求項１〜４のいずれかの項に記載の電気光学装置の製造方法。
【請求項６】
上記紫外線吸収層は、エネルギーバンドギャップが３ｅＶから６ｅＶまでの酸化物半導体材料を主成分とすることを特徴とする、請求項５記載の電気光学装置の製造方法。
【請求項７】
上記紫外線吸収層は、上記ガスバリア層形成工程で使用するプラズマより発生する紫外線により光触媒活性を有することを特徴とする、請求項１〜４のいずれかの項に記載の電気光学装置の製造方法。
【請求項８】
上記紫外線吸収層はチタン，亜鉛，錫の内のいずれかを含む透光性のｎ型酸化物半導体材料を主成分とすることを特徴とする、請求項７記載の電気光学装置の製造方法。
【請求項９】
上記紫外線吸収層は白金，金，銀，銅の内の少なくとも１つの元素を含有することを特徴とする、請求項７又は８記載の電気光学装置の製造方法。
【請求項１０】
上記紫外線吸収層を上記第２の電極の露出面に形成することを特徴とする、請求項７〜９のいずれかの項に記載の電気光学装置の製造方法。
【請求項１１】
上記紫外線吸収層の少なくとも上記第２の電極と接する面側に窒素を含有させることを特徴とする、請求項１０記載の電気光学装置の製造方法。
【請求項１２】
上記第２の電極の少なくとも紫外線吸収層と接する面側を、無機酸化物で形成することを特徴とする、請求項１０又は１１記載の電気光学装置の製造方法。
【請求項１３】
上記第２の電極の形成工程から上記ガスバリア層の形成工程までを気相成長法により減圧下で連続して行なうことを特徴とする、請求項１０〜１２のいずれかの項に記載の電気光学装置の製造方法。
【請求項１４】
上記第２の電極と上記紫外線吸収層との間に、下地の凹凸形状を平坦化するための緩衝層を形成する工程を備えたことを特徴とする、請求項１〜９のいずれかの項に記載の電気光学装置の製造方法。
【請求項１５】
上記緩衝層が有機材料からなることを特徴とする、請求項１４記載の電気光学装置の製造方法。
【請求項１６】
上記緩衝層を液相法により形成することを特徴とする、請求項１４又は１５記載の電気光学装置の製造方法。
【請求項１７】
上記第２の電極と上記緩衝層との間に、上記第２の電極を保護するための電極保護層を形成する工程を備えたことを特徴とする、請求項１６記載の電気光学装置の製造方法。
【請求項１８】
上記電極保護層が珪素化合物からなることを特徴とする、請求項１７記載の電気光学装置の製造方法。
【請求項１９】
上記緩衝層と上記紫外線吸収層との間に緩衝層保護層を形成する工程を備えたことを特徴とする、請求項１４〜１８のいずれかの項に記載の電気光学装置の製造方法。
【請求項２０】
上記緩衝層保護層が絶縁材料からなることを特徴とする、請求項１９記載の電気光学装置の製造方法。
【請求項２１】
上記ガスバリア層を珪素化合物で形成することを特徴とする、請求項１〜２０のいずれかの項に記載の電気光学装置の製造方法。
【請求項２２】
上記ガスバリア層に窒素を含有させることを特徴とする特徴とする、請求項２１記載の電気光学装置の製造方法。
【請求項２３】
上記紫外線吸収層と上記ガスバリア層との積層膜の層厚は５００ｎｍ以下であることを特徴とする、請求項１〜２２のいずれかの項に記載の電気光学装置の製造方法。
【請求項２４】
基板上に第１の電極，電気光学層，第２の電極，紫外線吸収層，ガスバリア層が順に積層されたことを特徴とする、電気光学装置。
【請求項２５】
上記ガスバリア層の上に保護層が設けられたことを特徴とする、請求項２４記載の電気光学装置。
【請求項２６】
上記保護層の上に表面保護層が設けられたことを特徴とする、請求項２５記載の電気光学装置。
【請求項２７】
請求項２４〜２６のいずれかの項に記載の電気光学装置を備えたことを特徴とする、電子機器。
【発明の詳細な説明】
【技術分野】
【０００１】
本発明は、電気光学装置及びその製造方法と、この電気光学装置を備えた電子機器に関するものである。
【背景技術】
【０００２】
電気光学装置の分野では、酸素や水分等に対する耐久性向上が課題となっている。例えば、有機ＥＬディスプレイを構成する有機ＥＬ素子は、無機陽極／（有機正孔注入層）／有機発光層／（電子注入層）／無機陰極からなるものであるが、特に電子を放出し易い材料特性を持つ電子注入層は、大気中に存在する水分と反応しやすく、水と反応することによって電子注入効果がなくなり、ダークスポットと呼ばれる非発光領域を形成してしまう。
そこで、水分を遮断する封止構造が必要となるが、従来は水分を遮断するガラス又は金属製の封止基板を接着剤で貼り合わせて中空構造とし、接着剤断面から侵入する水分は乾燥剤で捕まえて素子に到達させない構造を一般に用いてきた（例えば、特許文献１，２参照）。
【０００３】
【特許文献１】特開平７−１６９５６７号公報
【特許文献２】特開平１０−１２３７６号公報
【発明の開示】
【発明が解決しようとする課題】
【０００４】
しかし、ディスプレイの大型化及び薄型化／軽量化に伴い、外部応力に耐えるパネル強度を保持するために中空構造からソリッド構造に切り替える必要がある。また、大型化に伴ってＴＦＴや配線回路の面積を十分に確保するため、回路基板の反対側から発光させるトップエミッション構造を用いる必要がある。そこで、封止構造は、透明で且つ軽量、耐強度性に優れた薄い構造をとる必要があり、又、乾燥剤を除いても防湿性能が得られる構造が求められている。
【０００５】
近年、薄膜封止と呼ばれる透明でガスバリア性に優れたＳｉＯｘ，ＳｉＮｘ，ＡｌＯｘ薄膜が研究されており、高密度プラズマ源を用いた高密度プラズマ成膜法（イオンプレーティング，ＥＣＲプラズマスパッタ，ＥＣＲプラズマＣＶＤ，表面波プラズマＣＶＤ，ＩＣＰ−ＣＶＤ等）を用いることで、水分を完全に遮断する薄膜形成ができる。しかし、この方法では、成膜時に生じる紫外線やプラズマイオンの影響で下地の発光層等が劣化してしまうという課題があった。なお、製造工程中のみならず、このような電気光学装置を屋外で使用する際にも、外光に含まれる紫外線は素子の寿命を低下させるため、発光素子等をこのような紫外線から保護する必要がある。
【０００６】
本発明は上記課題に鑑み創案されたものであり、ガスバリア層の形成による電気光学層等の劣化を防止できるようにした、電気光学装置及びその製造方法、電子機器を提供することを目的とする。
【課題を解決するための手段】
【０００７】
上記目的を達成するために、本発明の電気光学装置の製造方法は、基板上に、少なくとも第１の電極，電気光学層，第２の電極を順に積層してなる電気光学素子を有する電気光学装置の製造方法であって、気相成長法により、上記基板上に、上記電気光学素子を覆うように紫外線吸収層を形成する工程と、プラズマ雰囲気を伴う気相成長法により、上記紫外線吸収層を覆うようにガスバリア層を形成する工程とを備えたことを特徴とする。
【０００８】
本製造方法では、ガスバリア層を形成する前に予め紫外線吸収層を形成しているため、ガスバリア層を例えばプラズマＣＶＤにより形成した際に発生した紫外線は下地の紫外線吸収層に吸収され、これよりも下層側に配された電気光学層等の光劣化が防止される。さらに、紫外線を吸収することで紫外線吸収層が励起状態となり表面活性を得ることでガスバリア層がより緻密で高品質なものになる。
なお、紫外線吸収層は、例えばプラズマ雰囲気を伴わない気相成長法を用いることや、またプラズマ源を用いたとしてもガスバリア性能を得るのに必要なまでの高密度プラズマ源を用いなくても良いため、電気光学層や電極等にダメージを与えることはない。また、電気光学装置を屋外等で使用する場合には、紫外線吸収層が外光に含まれる紫外線を吸収するため、通常使用時における耐光性も向上する。
【０００９】
なお、上記電気光学層には、液晶やエレクトロルミネッセンス（ＥＬ）材料等の種々の電気光学材料を適用することができる。また、電気光学層は、単一の層のみならず、複数の機能層の積層膜として構成することができる。例えば、第１の電極と第２の電極との間に、正孔注入層，正孔輸送層，ＥＬ発光層，電子輸送層，電子注入層等からなる複数の機能層を積層して設けることで、電気光学素子としてＥＬ発光素子を形成することができる。特に、ＥＬ発光素子のように第１の電極または第２の電極から供給されるキャリアが前記電気光学層を通過することによって機能を発現する素子の場合、少なくとも一部に電子と正孔の存在確率が異なる部分が生成し、その部分の電荷バランスが崩れることがある。このような部分は概して反応性が高く、例えば、酸素や水などと反応して構造欠陥（即ち、キャリアの捕捉サイト）となり、電気光学層の機能低下の要因となる。このため、他の方法により機能を発現するものに比べてガスバリア層を設ける効果は大きい。
【００１０】
また、本発明の電気光学装置の製造方法は、基板上に第１の電極を複数形成する工程と、上記基板上に、上記第１の電極の形成位置に対応した複数の開口部を有するバンク構造体を形成する工程と、上記バンク構造体の各開口部にそれぞれ電気光学層を形成する工程と、上記バンク構造体及び上記各電気光学層を覆うように第２の電極を形成する工程と、気相成長法により上記第２の電極を覆うように紫外線吸収層を形成する工程と、プラズマ雰囲気を伴う気相成長法により、上記紫外線吸収層を覆うようにガスバリア層を形成する工程とを備えたことを特徴とする。
【００１１】
本製造方法は、電気光学素子がバンク構造体により互いに仕切られた状態で基板上に複数設けられた電気光学装置の製造方法である。本製造方法でもガスバリア層形成工程時及び通常使用時における電気光学素子の光劣化を効果的に防止することができる。また、基板上に設けられた複数の電気光学層の内、最外周部に配置されたものの外側部は、バンク構造体，第２の電極，紫外線吸収層，ガスバリア層によって４重に積層されることとなり、ガスバリア層が酸素や水分の侵入を確実に防止することができる。なお、第２の電極，紫外線吸収層，ガスバリア層を形成する際に、バンク構造体の外側部が基板に対して垂直又は逆テーパ形状となっていると、ここで上記電極や層が段切れする虞がある。このため、バンク構造体の外側部を構成する面の、基板表面に対する角度は１１０°以上であることが好ましい。
【００１２】
上記各製造方法において、上記ガスバリア層は減圧下の高密度プラズマ雰囲気下で成膜されることが好ましい。これにより、ガスバリア性の高い緻密な膜を形成することができる。
また、紫外線吸収層は、例えば、エネルギーバンドギャップが２ｅＶから６ｅＶまでの酸化物半導体材料を主成分とすることが好ましい。ガスバリア層の形成工程では高強度の紫外領域の光が発生するため、ここで生じた紫外光は電気光学層を劣化させる虞がある。このため、紫外線吸収層を上述の材料を主体として構成し、広い波長範囲の光を吸収しつつ成膜面の励起エネルギーに変換させることで、電気光学層の劣化防止とガスバリア層の高品質化を確実にすることができる。なお、エネルギーバンドギャップが３ｅＶを下回る材料は、電気光学層からの可視光域の光を吸収し電気光学装置の輝度が低下するため、トップエミッション構造には用いることができない。このため、トップエミッション構造を採用した場合には、上記紫外線吸収層は、エネルギーバンドギャップが３ｅＶから６ｅＶまでの酸化物半導体材料を主成分とするものであることが望ましい。
【００１３】
また、上記紫外線吸収層には、上記ガスバリア層形成工程で使用するプラズマより発生する紫外線により光触媒活性を有するものを用いることが好ましい。この場合、紫外線吸収層の最表面は、ガスバリア層形成工程で発生した紫外線等の光によって励起され、強い触媒作用を発揮する。このため、仮に上記ガスバリア層形成工程中又はガスバリア層形成前に紫外線吸収層の表面に有機物等の不純物が付着しても、この不純物は上記触媒作用により分解，除去され、紫外線吸収層の表面をガスバリア層の形成工程中、常に清浄に保つことができる。
【００１４】
このような光触媒活性を有する材料としては、例えば酸化チタン（ＴｉＯ2），チタン酸ストロンチウム（ＳｒＴｉＯ3），酸化亜鉛（ＺｎＯ），酸化タングステン（ＷＯ3），酸化錫（ＳｎＯ2），酸化ニオブ（Ｎｂ2Ｏ6），タンタル酸カリウム（ＫＴａＯ3），酸化鉄（Ｆｅ2Ｏ3）等の酸化物半導体が知られており、本発明の紫外線吸収層にも上述の材料を主成分として用いることができる。なお、トップエミッション型の構造に適用する場合には、上記紫外線吸収層がチタン，亜鉛，錫の内のいずれかを含む透光性のｎ型酸化粒半導体材料を主成分とすることが望ましい。このように透明性の高い材料を用いることで、光の取り出し効率を高めることができる。また上記紫外線吸収層には、光触媒活性を高めるために、白金，金，銀，銅の内の少なくとも１つの元素を助触媒として含有させてもよい。
【００１５】
ところで、上記本発明の電気光学装置の製造方法では、上記紫外線吸収層を上記第２の電極の露出面に形成することができる。この場合、紫外線吸収層の少なくとも上記第２の電極と接する面側に窒素を含有させ、上記第２の電極との界面における紫外線吸収層の導電性を低下させる（即ち、絶縁性を高める）ことが望ましい。これにより、紫外線吸収層が光励起されて生じた電荷が第２の電極側に流れて電気光学層が劣化されるのを防止することができる。
また、紫外線吸収層に酸化物半導体を用いる場合には、第２の電極の少なくとも紫外線吸収層と接する面側を、無機酸化物で形成することが好ましい。これによりトップエミッション型に対応するための可視光透過性を付与することができ、酸化物半導体を主体とする紫外線吸収層と第２の電極との間の密着性も高めることができる。
また、上記方法では、上記第２の電極の形成工程から上記ガスバリア層の形成工程までを気相成長法により減圧下で連続して行うことが望ましい。このように各層を大気圧に戻すことなく減圧下で連続して形成することで、不純物の混入防止と処理の迅速化を図ることができる。
【００１６】
また、本発明の電気光学装置の製造方法では、上記第２の電極と上記紫外線吸収層との間に、下地の凹凸形状（例えばバンク構造体によって形成された凹凸形状）を平坦化するための緩衝層を形成することが望ましい。このように、ガスバリア層を形成する前に基板を平坦化しておくことで、基板側からかかる外部応力を分散し、ガスバリア層や紫外線吸収層にクラックが発生するのを防止することができる。つまり、ガスバリア薄膜は水分遮断性があるため、緻密で非常に硬い膜であり、成膜時に表面に凹凸や急峻な段差があると、外部応力が集中してクラックや剥離等を起こす。そのため、密着性や平坦性を考慮した緩衝層の追加が必要となる。なお、基板側からの応力を吸収するために、緩衝層の材料としてはある程度柔軟性を持った材料が好ましく、例えば有機材料が好適である。
【００１７】
上記方法では、上記緩衝層を液相法により形成することが好ましい。こうすることで、平坦性のよい膜を容易に形成することができる。なおこの場合には、緩衝層形成時に第２の電極が大気或いは有機溶剤に暴露されるのを防ぐために、上記第２の電極と上記緩衝層との間に、上記第２の電極を保護するための電極保護層を形成する工程を設けることが望ましい。この電極保護層としては、酸化珪素，窒化珪素，酸窒化珪素等の珪素化合物が好適である。特に、窒素を含有した窒化珪素や酸窒化珪素は、酸化物半導体等からなる第２の電極との間で良好な密着性が得られるとともに、緻密な膜を形成することから、酸素や水分に対するバリア性もより良好になる。
【００１８】
また、上記方法では、上記緩衝層と上記紫外線吸収層との間に緩衝層保護層を形成することが望ましい。これにより、緩衝層が、紫外線吸収層やガスバリア層の形成によって劣化されるのを防止することができる。なお、紫外線吸収層が光触媒活性を有する場合には、励起された電子によって緩衝層がダメージを受け易くなるので、上記緩衝層保護層としては、このような励起電子をブロックできる絶縁性の材料が望ましい。具体的には、珪素化合物等が好適である。
また本発明の電気光学装置の製造方法では、ガスバリア層は酸化珪素，窒化珪素，酸窒化珪素等の珪素化合物で形成することが好ましい。特に、窒素を含有した窒化珪素や酸窒化珪素は酸化物半導体等からなる第２の電極との間で良好な密着性が得られるとともに、緻密な膜を形成することから、酸素や水分に対するバリア性もより良好になる。また、窒化珪素や酸窒化珪素は絶縁性に優れるため、通電時の漏電を防ぐ効果もある。
【００１９】
なお、紫外線吸収層による光吸収を確実にするために、紫外線吸収層の層厚を１０ｎｍ以上とすることが望ましい。また、第２の電極を透明電極とし、表示光をガスバリア層が通すトップエミッション型の電気光学装置を構成する場合には、光取り出し側の透明性を損なわないように、紫外線吸収層とガスバリア層との積層膜の層厚を５００ｎｍ以下とすることが望ましい。
【００２０】
本発明の電気光学装置は、上述の製造方法により製造され、基板上に第１の電極，電気光学層，第２の電極，紫外線吸収層，ガスバリア層が順に積層されたことを特徴とする。
本構成によれば、屋外等での通常使用時において、外光に含まれる紫外線を上記紫外線吸収層により吸収することで耐光性を向上でき、ガスバリア層による耐湿性及び耐酸素性の向上とともに、装置の長寿命化を図ることができる。
このような電気光学装置では、ガスバリア層の上に保護層を設けて電気光学層や電極等を保護することが望ましい。また、この際、保護層の上に、更に、耐圧性，耐磨耗性，光反射防止性，ガスバリア性，紫外線遮蔽性等の機能を有する表面保護層を設けることが好ましい。これにより、電気光学層層や電極等の他、紫外線吸収層やガスバリア層をも保護することができる。
なお、上記保護層は、上記ガスバリア層に密着し、且つ、機械的衝撃に対して緩衝機能を有する緩衝層を有することが好ましい。このように緩衝層を設けて機械的衝撃を緩和させることで、装置の耐衝撃性を高めることができる。
【００２１】
また、本発明の電子機器は、上述の電気光学装置を備えたことを特徴とする。これにより、耐湿性，耐酸素性，耐光性に優れた電子機器を提供することができる。
【発明を実施するための最良の形態】
【００２２】
［第１実施形態］
図１〜図１０を参照しながら、本発明の第１実施形態に係る電気光学装置について説明する。
まず、本発明の電気光学装置の製造方法を説明するに先立ち、本発明の製造方法が適用される電気光学装置の一例として、有機エレクトロルミネッセンス（ＥＬ）材料を用いたＥＬ表示装置について説明する。
本例のＥＬ表示装置の配線構造を、図１を参照して説明する。
図１に示すＥＬ表示装置（電気光学装置）１は、スイッチング素子として薄膜トランジスタ（Thin Film Transistor、以下ではＴＦＴと略記する）を用いたアクティブマトリクス型のＥＬ表示装置である。
【００２３】
このＥＬ表示装置１は、図１に示すように、複数の走査線１０１と、各走査線１０１に対して直角に交差する方向に延びる複数の信号線１０２と、各信号線１０２に並列に延びる複数の電源線１０３とがそれぞれ配線された構成を有するとともに、走査線１０１と信号線１０２の各交点付近に、それぞれ画素領域Ｘが設けられている。
信号線１０２には、シフトレジスタ、レベルシフタ、ビデオライン及びアナログスイッチを備えるデータ線駆動回路１００が接続されている。また、走査線１０１には、シフトレジスタ及びレベルシフタを備える走査線駆動回路８０が接続されている。
【００２４】
さらに、画素領域Ｘの各々には、走査線１０１を介して走査信号がゲート電極に供給されるスイッチング用ＴＦＴ１１２と、このスイッチング用ＴＦＴ１１２を介して信号線１０２から共有される画素信号を保持する保持容量１１３と、該保持容量１１３によって保持された画素信号がゲート電極に供給される駆動用ＴＦＴ１２３と、この駆動用ＴＦＴ１２３を介して電源線１０３に電気的に接続したときに該電源線１０３から駆動電流が流れ込む画素電極（電極）２３と、この画素電極２３と陰極（電極）５０との間に挟み込まれた電気光学層１１０とが設けられている。画素電極２３と陰極５０と電気光学層１１０により、発光素子（有機ＥＬ素子）が構成されている。
【００２５】
このＥＬ表示装置１によれば、走査線１０１が駆動されてスイッチング用ＴＦＴ１１２がオン状態になると、そのときの信号線１０２の電位が保持容量１１３に保持され、該保持容量１１３の状態に応じて、駆動用ＴＦＴ１２３のオン・オフ状態が決まる。そして、駆動用ＴＦＴ１２３のチャネルを介して、電源線１０３から画素電極２３に電流が流れ、さらに電気光学層１１０を介して陰極５０に電流が流れる。電気光学層１１０は、これを流れる電流量に応じて発光する。
【００２６】
次に、本例のＥＬ表示装置１の具体的な構成を図２〜図５を参照して説明する。
本例のＥＬ表示装置１は、図２に示すように電気絶縁性を備えた基板２０と、スイッチング用ＴＦＴ（図示せず）に接続された画素電極が基板２０上にマトリックス状に配置されてなる画素電極域（図示せず）と、画素電極域の周囲に配置されるとともに各画素電極に接続される電源線（図示せず）と、少なくとも画素電極域上に位置する平面視ほぼ矩形の画素部３（図２中一点鎖線枠内）とを具備して構成されたアクティブマトリクス型のものである。なお、本発明においては、基板２０と後述するようにこれの上に形成されるスイッチング用ＴＦＴや各種回路、及び層間絶縁膜などを含めて、基体と称している（図３、４中では符号２００で示している）。
【００２７】
画素部３は、中央部分の実表示領域４（図２中二点鎖線枠内）と、実表示領域４の周囲に配置されたダミー領域５（一点鎖線および二点鎖線の間の領域）とに区画されている。
実表示領域４には、それぞれ画素電極を有する表示領域Ｒ、Ｇ、ＢがＡ−Ｂ方向およびＣ−Ｄ方向にそれぞれ離間してマトリックス状に配置されている。
また、実表示領域４の図２中両側には、走査線駆動回路８０、８０が配置されている。これら走査線駆動回路８０、８０は、ダミー領域５の下側に配置されたものである。
【００２８】
さらに、実表示領域４の図２中上側には、検査回路９０が配置されている。この検査回路９０は、ＥＬ表示装置１の作動状況を検査するための回路であって、例えば検査結果を外部に出力する検査情報出力手段（図示せず）を備え、製造途中や出荷時の表示装置の品質、欠陥の検査を行うことができるように構成されたものである。なお、この検査回路９０も、ダミー領域５の下側に配置されたものである。
【００２９】
走査線駆動回路８０および検査回路９０は、その駆動電圧が、所定の電源部から駆動電圧導通部３１０（図３参照）および駆動電圧導通部３４０（図４参照）を介して、印加されるよう構成されている。また、これら走査線駆動回路８０および検査回路９０への駆動制御信号および駆動電圧は、このＥＬ表示装置１の作動制御を行う所定のメインドライバなどから駆動制御信号導通部３２０（図３参照）および駆動電圧導通部３５０（図４参照）を介して、送信および印加されるようになっている。なお、この場合の駆動制御信号とは、走査線駆動回路８０および検査回路９０が信号を出力する際の制御に関連するメインドライバなどからの指令信号である。
【００３０】
また、このＥＬ表示装置１は、図３、図４に示すように基体２００上に画素電極（第１の電極）２３と発光層（電気光学層）６０と陰極（第２の電極）５０とを備えた発光素子（有機ＥＬ素子）を多数形成し、さらにこれらを覆うように紫外線吸収層３０，ガスバリア層４０を順次積層して形成したものである。
なお、図３，図４では電気光学層として発光層６０のみ示したが、このように電気光学層を単一の層として構成する代わりに、複数の層を積層した積層膜として構成することもできる。実際に本実施形態では、後述するように、電気光学層を、正孔注入層，正孔輸送層，電子注入層，電子輸送層などのキャリア注入層又はキャリア輸送層や正孔阻止層（ホールブロッキング層），電子阻止層（エレクトロン阻止層）と、上記発光層との積層膜としている。
【００３１】
基体２００を構成する基板本体２０としては、いわゆるトップエミッション型のＥＬ表示装置の場合、この基板２０の対向側であるガスバリア層４０側から表示光を取り出す構成であるので、透明基板及び不透明基板のいずれも用いることができる。不透明基板としては、例えばアルミナ等のセラミックス、ステンレススチール等の金属シートに表面酸化などの絶縁処理を施したもの、また熱硬化性樹脂や熱可塑性樹脂、さらにはそのフィルム（プラスチックフィルム）などが挙げられる。
【００３２】
また、いわゆるボトムエミッション型のＥＬ表示装置の場合には、基板２０側から表示光を取り出す構成であるので、基板２０としては、透明あるいは半透明のものが採用される。例えば、ガラス、石英、樹脂（プラスチック、プラスチックフィルム）等が挙げられ、特にガラス基板が好適に用いられる。なお、本実施形態では、ガスバリア層４０側から発光光を取り出すトップエミッション型としている。
【００３３】
また、基板２０上には、画素電極２３を駆動するための駆動用ＴＦＴ１２３などを含む回路部１１が形成されており、その上に発光素子（有機ＥＬ素子）が多数設けられている。発光素子は、図５に示すように、陽極として機能する画素電極（第１の電極）２３と、この画素電極２３からの正孔を注入／輸送する正孔輸送層７０と、電気光学材料の一つである有機ＥＬ物質を備える発光層６０と、陰極（第２の電極）５０とが順に形成されたことによって構成されたものである。
このような構成のもとに、発光素子はその発光層６０において、正孔輸送層７０から注入された正孔と陰極５０からの電子とが結合することにより、発光光を生じるようになっている。
【００３４】
画素電極２３は、本例ではトップエミッション型であることから透明である必要がなく、したがって適宜な導電材料によって形成されている。
正孔輸送層７０の形成材料としては、例えばポリチオフェン誘導体、ポリピロール誘導体など、またはそれらのドーピング体などが用いられる。具体的には、３，４−ポリエチレンジオシチオフェン／ポリスチレンスルフォン酸（ＰＥＤＯＴ／ＰＳＳ）などが用いられる。
【００３５】
発光層６０を形成するための材料としては、蛍光あるいは燐光を発光することが可能な公知の発光材料を用いることができる。具体的には、（ポリ）フルオレン誘導体（ＰＦ）、（ポリ）パラフェニレンビニレン誘導体（ＰＰＶ）、ポリフェニレン誘導体（ＰＰ）、ポリパラフェニレン誘導体（ＰＰＰ）、ポリビニルカルバゾール（ＰＶＫ）、ポリチオフェン誘導体、ポリメチルフェニルシラン（ＰＭＰＳ）などのポリシラン系などが好適に用いられる。
また、これらの高分子材料に、ペリレン系色素、クマリン系色素、ローダミン系色素などの高分子系材料や、ルブレン、ペリレン、９，１０−ジフェニルアントラセン、テトラフェニルブタジエン、ナイルレッド、クマリン６、キナクリドン等の低分子材料をドープして用いることもできる。
なお、前記の高分子材料に代えて、従来公知の低分子材料を用いることもできる。
また、必要に応じて、このような発光層６０の上に電子注入層を形成してもよい。
【００３６】
また、図３〜図５に示すように、本実施形態において正孔輸送層７０と発光層６０とは、親液性制御層２５と有機バンク層２２１とからなるバンク構造体におより互いに仕切られた状態で基板２００上に配置されている。すなわち、親液性制御層２５，有機バンク層２２１は、基板２００上にマトリクス状に配置された各画素電極２３に対応する位置に開口部を有し、正孔輸送層７０，発光層６０は各開口部のそれぞれに設けられている。なお、格子状に形成された親液性制御層２５および有機バンク層２２１にあって、特に最外周を形成する部分、すなわち発光層６０の最外周位置のものの外側部を覆った状態でこれを囲む部分が、囲み部材２０１となっている。そして、この囲み部材２０１により囲まれた略矩形の領域が実表示領域４となっている。
【００３７】
ここで、囲み部材２０１については、特にその上部を形成する有機バンク層２２１における、外側部を形成する面２０１ａの基体２００表面に対する角度θが、１１０度以上となっている。このような角度としたのは、後述するようにこの上に形成する陰極５０、さらにはガスバリア層４０のステップカバレージ性を良好にし、外側部上での陰極やガスバリア層４０の連続性を確保するためである。
【００３８】
陰極５０は、図３〜図５に示すように、実表示領域４およびダミー領域５の総面積より広い面積を備え、それぞれを覆うように形成されたもので、前記発光層６０と有機バンク層２２１及び囲み部材２０１の上面、さらには囲み部材２０１の外側部を形成する面２０１ａを覆った状態で基体２００上に形成されたものである。なお、この陰極５０は、図４に示すように前記囲み部材２０１の面２０１ａの外側で基体２００の外周部に形成された陰極用配線２０２に接続されている。この陰極用配線２０２にはフレキシブル基板２０３が接続されており、これによって陰極５０は、陰極用配線２０２を介してフレキシブル基板２０３上の図示しない駆動ＩＣ（駆動回路）に接続されたものとなっている。
【００３９】
陰極５０を形成するための材料としては、本例はトップエミッション型であることから光透過性である必要があり、したがって透明導電材料が用いられる。透明導電材料としてはＩＴＯ（インジウム錫酸化物）が好適とされるが、これ以外にも、例えば酸化インジウム・酸化亜鉛系アモルファス透明導電膜（Indium Zinc Oxide ：ＩＺＯ／アイ・ゼット・オー）（登録商標））（出光興産社製）、ＡＺＯ（アルミニウム亜鉛酸化物）等を用いることができる。なお、本例ではＩＴＯを用いるものとする。
【００４０】
このような陰極５０の上には、この陰極５０の基体２００上で露出する部位を覆った状態で紫外線吸収層３０が設けられている。
ガスバリア層４０は、その内側に酸素や水分が浸入するのを防止するためのもので、これにより陰極５０や発光層６０への酸素や水分の浸入を防止し、酸素や水分による陰極５０や発光層６０の劣化等を抑えるようにしたものである。このガスバリア層４０は、後述するように、低温高密度プラズマ雰囲気下の減圧気相成長法（スパッタ、プラズマＣＶＤ等）によって形成されたものである。
このガスバリア層４０は無機化合物からなるもので、好ましくは珪素化合物、例えば珪素窒化物や珪素酸窒化物、珪素酸化物などによって形成されている。このようにガスバリア層４０を珪素化合物で形成することにより、ガスバリア層４０が緻密な膜となり、良好なガスバリア性能が得られる。
【００４１】
一方、紫外線吸収層３０は、上記ガスバリア層４０を形成する際に生じた紫外線等の光を吸収し、発光層６０の光劣化を防止するようにしたものである。このため、紫外線吸収層３０には、上記光の波長に対応したエネルギーバンドギャップを有する半導体材料が用いられている。なお、上記ガスバリア層形成工程では、高強度の光が発生するため、ここで生じた光は、例えば赤外線や可視光等、紫外線以外の光であっても発光層６０を劣化させる虞がある。このため、本実施形態では、紫外線吸収層３０を例えば２ｅＶから６ｅＶまでのエネルギーバンドギャップを有する半導体材料を主成分とした材料で構成し、紫外線吸収層３０に広い波長範囲の光を吸収させることで、発光層６０の劣化防止を確実にしている。
【００４２】
この際、本実施形態のようなトップエミッション型の構造では、紫外線吸収層３０は可視光（例えば４００ｎｍ〜７００ｎｍの波長範囲の光）に対して透明性を有する必要があるため、上記半導体材料としては、紫外線域にのみ吸収波長域を有する材料を選定する必要がある。具体的には、エネルギーバンドギャップが３ｅＶから６ｅＶまでの半導体材料が好適である。エネルギーバンドギャップが３ｅＶ以下の材料では可視光の一部（青色光等）が遮断されるが、３ｅＶ以上の材料では４１３ｎｍ以下の紫外線領域の光が選択的に吸収され、４３０ｎｍ付近の青色光の発光が妨げられることはない。一方、６ｅＶ以上の材料では、２００ｎｍ〜４００ｎｍの紫外線を遮断できなくなるので効果がない。これに対して、基板本体２０側から表示光を取り出すボトムエミッション型の構造では、紫外線吸収層３０は可視光域に透明性を有する必要がないため、上記半導体材料としては、赤外線域や可視光域に吸収波長域を有するもの（即ち、エネルギーバンドギャップが２ｅＶから６ｅＶまでの半導体材料）でも構わない。なお、光吸収を確実にするため、紫外線吸収層３０の層厚は１０ｎｍ以上とすることが望ましい。
【００４３】
また、本実施形態では、上記光を単に吸収するのでなく、この紫外光エネルギーにより紫外線吸収層３０表面を清浄化するエネルギーとして積極的に利用すべく、紫外線吸収層３０の主成分となる上記半導体材料として光触媒活性を有するものを採用している。光触媒活性を有する材料としては、例えば以下の表に示す公知のｎ型酸化物半導体材料を用いることができる。中でも、ＴｉＯ2は化学的安定性に優れるため、紫外線吸収層３０として好適である。また、光触媒活性を高めるために、白金（Ｐｔ），金（Ａｕ），銀（Ａｇ），銅（Ｃｕ）の内の少なくとも１つの元素を助触媒として紫外線吸収層３０に含有させてもよい。
【００４４】
【表１】
2008218423.tif 000003
【００４５】
このように紫外線吸収層３０に光触媒活性な材料を用いた場合、紫外線吸収層３０は、ガスバリア層４０の形成工程で使用される高密度プラズマより発生する紫外線等によって励起され、強い触媒作用を発揮する。このため、仮にガスバリア層形成中又はガスバリア層形成前に紫外線吸収層３０の表面に有機物等の不純物が付着しても、この不純物は上記触媒作用により分解，除去されるため、紫外線吸収層３０の表面をガスバリア層形成工程中、常に清浄に保つことができる。
【００４６】
なお、本実施形態ではトップエミッション型としていることから、紫外線吸収層３０及びガスバリア層４０からなる積層膜は透明性（例えば可視光域における光線透過率が８０％以上）を有する必要がある。このため、紫外線吸収層３０，ガスバリア層４０の積層膜の層厚は例えば５００ｎｍ以下とすることが望ましい。
【００４７】
前記の発光素子の下方には、図５に示したように回路部１１が設けられている。この回路部１１は、基板２０上に形成されて基体２００を構成するものである。すなわち、基板２０の表面にはＳｉＯ2を主体とする下地保護層２８１が下地として形成され、その上にはシリコン層２４１が形成されている。このシリコン層２４１の表面には、ＳｉＯ2および／またはＳｉＮxを主体とするゲート絶縁層２８２が形成されている。
【００４８】
また、前記シリコン層２４１のうち、ゲート絶縁層２８２を挟んでゲート電極２４２と重なる領域がチャネル領域２４１ａとされている。なお、このゲート電極２４２は、図示しない走査線１０１の一部である。一方、シリコン層２４１を覆い、ゲート電極２４２を形成したゲート絶縁層２８２の表面には、ＳｉＯ2を主体とする第１層間絶縁層２８３が形成されている。
【００４９】
また、シリコン層２４１のうち、チャネル領域２４１ａのソース側には、低濃度ソース領域２４１ｂおよび高濃度ソース領域２４１Ｓが設けられる一方、チャネル領域２４１ａのドレイン側には低濃度ドレイン領域２４１ｃおよび高濃度ドレイン領域２４１Ｄが設けられて、いわゆるＬＤＤ（Light Doped Drain ）構造となっている。これらのうち、高濃度ソース領域２４１Ｓは、ゲート絶縁層２８２と第１層間絶縁層２８３とにわたって開孔するコンタクトホール２４３ａを介して、ソース電極２４３に接続されている。このソース電極２４３は、前述した電源線１０３（図１参照、図５においてはソース電極２４３の位置に紙面垂直方向に延在する）の一部として構成されている。一方、高濃度ドレイン領域２４１Ｄは、ゲート絶縁層２８２と第１層間絶縁層２８３とにわたって開孔するコンタクトホール２４４ａを介して、ソース電極２４３と同一層からなるドレイン電極２４４に接続されている。
【００５０】
ソース電極２４３およびドレイン電極２４４が形成された第１層間絶縁層２８３の上層は、例えば酸化珪素や窒化珪素などの珪素化合物からなる第２層間絶縁層２８４によって覆われている。また、この第２層間絶縁層２８４は、配線等の平坦化効果を考慮してアクリル樹脂など樹脂層との２層構造を用いることもできるが、ガスバリア性の高い珪素化合物（特に窒化珪素や酸窒化珪素）で表面及び側面が被覆されることにより、基板本体２０を透湿性の高い樹脂基板とした場合でも、基板側から発光層６０へ酸素や水分等が浸入することを防ぐことができる。特に本実施形態では、後述のように、基板２００上に窒素化合物からなるガスバリア層４０を、バンク構造体及び陰極５０全体を覆い且つ珪素化合物からなる第２層間絶縁膜２８４に接触するように形成している。このため、第２層間絶縁膜２８４をガスバリア性の高い珪素化合物により形成することで、発光素子部分の上層，下層，側部の全てが上記珪素化合物で包まれることとなり、装置の耐湿性や耐酸素性を格段に高めることができる。
【００５１】
そして、この第２層間絶縁層２８４の表面上にはＩＴＯからなる画素電極２３が形成されるとともに、該第２層間絶縁層２８４に設けられたコンタクトホール２３ａを介してドレイン電極２４４に接続されている。すなわち、画素電極２３は、ドレイン電極２４４を介して、シリコン層２４１の高濃度ドレイン領域２４１Ｄに接続されている。
なお、走査線駆動回路８０および検査回路９０に含まれるＴＦＴ（駆動回路用ＴＦＴ）、すなわち、例えばこれらの駆動回路のうち、シフトレジスタに含まれるインバータを構成するＮチャネル型又はＰチャネル型のＴＦＴは、画素電極２３と接続されていない点を除いて前記駆動用ＴＦＴ１２３と同様の構造とされている。
【００５２】
画素電極２３が形成された第２層間絶縁層２８４の表面には、画素電極２３と、前記した親液性制御層２５及び有機バンク層２２１とからなるバンク構造体が設けられている。親液性制御層２５は、例えばＳｉＯ2などの親液性材料を主体とするものであり、有機バンク層２２１は、アクリルやポリイミドなどからなるものである。そして、画素電極２３の上には、親液性制御層２５に設けられた開口部２５ａ、および有機バンク２２１に囲まれてなる開口部２２１ａの内部に、正孔輸送層７０と発光層６０とがこの順に積層されている。なお、本例における親液性制御層２５の「親液性」とは、少なくとも有機バンク層２２１を構成するアクリル、ポリイミドなどの材料と比べて親液性が高いことを意味するものとする。
以上に説明した基板２０上の第２層間絶縁層２８４までの層が、回路部１１を構成するものとなっている。
【００５３】
ここで、本例のＥＬ表示装置１は、カラー表示を行うべく、各発光層６０が、その発光波長帯域が光の三原色にそれぞれ対応して形成されている。例えば、発光層６０として、発光波長帯域が赤色に対応した赤色用発光層６０Ｒ、緑色に対応した緑色用発光層６０Ｇ、青色に対応した青色用有機ＥＬ層６０Ｂとをそれぞれに対応する表示領域Ｒ、Ｇ、Ｂに設け、これら表示領域Ｒ、Ｇ、Ｂをもってカラー表示を行う１画素が構成されている。また、各色表示領域の境界には、金属クロムをスパッタリングなどにて成膜した図示略のＢＭ（ブラックマトリクス）が、例えば有機バンク層２２１と親液性化制御層２５との間に形成されている。
【００５４】
次に、本発明の一実施形態として、前記ＥＬ表示装置１の製造方法の一例を、図６〜図１０を参照して説明する。なお、本実施形態においては、電気光学装置としてのＥＬ表示装置１が、トップエミッション型である場合について説明する。また、図６〜図１０に示す各断面図は、図２中のＡ−Ｂ線の断面図に対応した図である。
まず、図６（ａ）に示すように、基板２０の表面に、下地保護層２８１を形成する。次に、下地保護層２８１上に、ＩＣＶＤ法、プラズマＣＶＤ法などを用いてアモルファスシリコン層５０１を形成した後、レーザアニール法又は急速加熱法により結晶粒を成長させてポリシリコン層とする。
【００５５】
次いで、図６（ｂ）に示すように、ポリシリコン層をフォトリソグラフィ法によりパターニングし、島状のシリコン層２４１、２５１および２６１を形成する。これらのうちシリコン層２４１は、表示領域内に形成され、画素電極２３に接続される駆動用ＴＦＴ１２３を構成するものであり、シリコン層２５１、２６１は、走査線駆動回路８０に含まれるＰチャネル型およびＮチャネル型のＴＦＴ（駆動回路用ＴＦＴ）をそれぞれ構成するものである。
【００５６】
次に、プラズマＣＶＤ法、熱酸化法などにより、シリコン層２４１、２５１および２６１、下地保護層２８１の全面に厚さが約３０ｎｍ〜２００ｎｍのシリコン酸化膜によって、ゲート絶縁層２８２を形成する。ここで、熱酸化法を利用してゲート絶縁層２８２を形成する際には、シリコン層２４１、２５１および２６１の結晶化も行い、これらのシリコン層をポリシリコン層とすることができる。
【００５７】
また、シリコン層２４１、２５１および２６１にチャネルドープを行う場合には、例えば、このタイミングで約１×１０12／ｃｍ2のドーズ量でボロンイオンを打ち込む。その結果、シリコン層２４１、２５１および２６１は、不純物濃度（活性化アニール後の不純物にて算出）が約１×１０17／ｃｍ3の低濃度Ｐ型のシリコン層となる。
【００５８】
次に、Ｐチャネル型ＴＦＴ、Ｎチャネル型ＴＦＴのチャネル層の一部にイオン注入選択マスクを形成し、この状態でリンイオンを約１×１０15／ｃｍ2のドーズ量でイオン注入する。その結果、パターニング用マスクに対してセルフアライン的に高濃度不純物が導入されて、図６（ｃ）に示すように、シリコン層２４１及び２６１中に高濃度ソース領域２４１Ｓおよび２６１Ｓ並びに高濃度ドレイン領域２４１Ｄおよび２６１Ｄが形成される。
【００５９】
次に、図６（ｃ）に示すように、ゲート絶縁層２８２の表面全体に、ドープドシリコンやシリサイド膜、あるいはアルミニウム膜やクロム膜、タンタル膜という金属膜からなるゲート電極形成用導電層５０２を形成する。この導電層５０２の厚さは概ね５００ｎｍ程度である。その後、パターニング法により、図６（ｄ）に示すように、Ｐチャネル型の駆動回路用ＴＦＴを形成するゲート電極２５２、画素用ＴＦＴを形成するゲート電極２４２、Ｎチャネル型の駆動回路用ＴＦＴを形成するゲート電極２６２を形成する。また、駆動制御信号導通部３２０（３５０）、陰極電源配線の第１層１２１も同時に形成する。なお、この場合、駆動制御信号導通部３２０（３５０）はダミー領域５に配設するものとされている。
【００６０】
続いて、図６（ｄ）に示すように、ゲート電極２４２，２５２および２６２をマスクとして用い、シリコン層２４１、２５１および２６１に対してリンイオンを約４×１０13／ｃｍ2のドーズ量でイオン注入する。その結果、ゲート電極２４２、２５２および２６２に対してセルフアライン的に低濃度不純物が導入され、図６（ｄ）に示すように、シリコン層２４１および２６１中に低濃度ソース領域２４１ｂおよび２６１ｂ、並びに低濃度ドレイン領域２４１ｃおよび２６１ｃが形成される。また、シリコン層２５１中に低濃度不純物領域２５１Ｓおよび２５１Ｄが形成される。
【００６１】
次に、図７（ｅ）に示すように、Ｐチャネル型の駆動回路用ＴＦＴ２５２以外の部分を覆うイオン注入選択マスク５０３を形成する。このイオン注入選択マスク５０３を用いて、シリコン層２５１に対してボロンイオンを約１．５×１０15／ｃｍ2のドーズ量でイオン注入する。結果として、Ｐチャネル型駆動回路用ＴＦＴを構成するゲート電極２５２もマスクとして機能するため、シリコン層２５２中にセルフアライン的に高濃度不純物がドープされる。したがって、低濃度不純物領域２５１Ｓおよび２５１Ｄはカウンタードープされ、Ｐ型チャネル型の駆動回路用ＴＦＴのソース領域およびドレイン領域となる。
【００６２】
次いで、図７（ｆ）に示すように、基板２０の全面にわたって第１層間絶縁層２８３を形成するとともに、フォトリソグラフィ法を用いて該第１層間絶縁層２８３をパターニングすることにより、各ＴＦＴのソース電極およびドレイン電極に対応する位置にコンタクトホールＣを形成する。
【００６３】
次に、図７（ｇ）に示すように、第１層間絶縁層２８３を覆うように、アルミニウム、クロム、タンタルなどの金属からなる導電層５０４を形成する。この導電層５０４の厚さは概ね２００ｎｍないし８００ｎｍ程度である。この後、導電層５０４のうち、各ＴＦＴのソース電極およびドレイン電極が形成されるべき領域２４０ａ、駆動電圧導通部３１０（３４０）が形成されるべき領域３１０ａ、陰極電源配線の第２層が形成されるべき領域１２２ａを覆うようにパターニング用マスク５０５を形成するとともに、該導電層５０４をパターニングして、図８（ｈ）に示すソース電極２４３、２５３、２６３、ドレイン電極２４４、２５４、２６４を形成する。
【００６４】
次いで、図８（ｉ）に示すように、これらが形成された第１層間絶縁層２８３を覆う第２層間絶縁層２８４を形成する。この第２層間絶縁層２８４は、２００ｎｍ〜２μｍ程度の厚さに形成されることが望ましい。
【００６５】
次いで、図８（ｊ）に示すように、第２層間絶縁層２８４のうち、駆動用ＴＦＴのドレイン電極２４４に対応する部分をエッチングにより除去してコンタクトホール２３ａを形成する。
その後、基板２０の全面を覆うように画素電極２３となる導電膜を形成する。そして、この透明導電膜をパターニングすることにより、図９（ｋ）に示すように、第２層間絶縁層２８４のコンタクトホール２３ａを介してドレイン電極２４４と導通する画素電極２３を形成すると同時に、ダミー領域のダミーパターン２６も形成する、なお、図３、４では、これら画素電極２３、ダミーパターン２６を総称して画素電極２３としている。
【００６６】
ダミーパターン２６は、第２層間絶縁層２８４を介して下層のメタル配線へ接続しない構成とされている。すなわち、ダミーパターン２６は、島状に配置され、実表示領域に形成されている画素電極２３の形状とほぼ同一の形状を有している。もちろん、表示領域に形成されている画素電極２３の形状と異なる構造であってもよい。なお、この場合、ダミーパターン２６は少なくとも前記駆動電圧導通部３１０（３４０）の上方に位置するものも含むものとする。
【００６７】
次いで、図９（ｌ）に示すように、画素電極２３、ダミーパターン２６上、および第２層間絶縁膜上に絶縁層である親液性制御層２５を形成する。なお、画素電極２３においては一部が開口する態様にて親液性制御層２５を形成し、開口部２５ａ（図３も参照）において画素電極２３からの正孔移動が可能とされている。逆に、開口部２５ａを設けないダミーパターン２６においては、絶縁層（親液性制御層）２５が正孔移動遮蔽層となって正孔移動が生じないものとされている。続いて、親液性制御層２５において、異なる２つの画素電極２３の間に位置して形成された凹状部にＢＭ（図示せず）を形成する。具体的には、親液性制御層２５の前記凹状部に対して、金属クロムを用いスパッタリング法にて成膜する。
【００６８】
次いで、図９（ｍ）に示すように、親液性制御層２５の所定位置、詳しくは前記ＢＭを覆うように有機バンク層２２１を形成する。具体的な有機バンク層の形成方法としては、例えばアクリル樹脂、ポリイミド樹脂などのレジストを溶媒に溶解したものを、スピンコート法、スリットダイコート法などの各種塗布法により塗布して有機質層を形成する。なお、有機質層の構成材料は、後述するインクの溶媒に溶解せず、しかもエッチングなどによってパターニングし易いものであればどのようなものでもよい。
【００６９】
続いて、有機質層をフォトリソグラフィ技術、エッチング技術を用いてパターニングし、有機質層にバンク開口部２２１ａを形成することにより、開口部２２１ａに壁面を有した有機バンク層２２１を形成する。ここで、この有機バンク層２２１にあたっては、特にその最外周を形成する部分、すなわち前述した本発明における囲み部材２０１の外側部を形成する面２０１ａについて、その基体２００表面に対する角度θを１１０度以上となるように形成するのが好ましい。このような角度に形成することにより、この上に形成する陰極５０、さらにはガスバリア層４０のステップカバレージ性を良好にすることができる。
なお、この場合、有機バンク層２２１は、少なくとも前記駆動制御信号導通部３２０の上方に位置するものを含むものとする。
【００７０】
次いで、有機バンク層２２１の表面に、親液性を示す領域と、撥液性を示す領域とを形成する。本実施形態においては、プラズマ処理によって各領域を形成するものとする。具体的には、該プラズマ処理を、予備加熱工程と、有機バンク層２２１の上面および開口部２２１ａの壁面ならびに画素電極２３の電極面２３ｃ、親液性制御層２５の上面をそれぞれ親液性にする親インク化工程と、有機バンク層の上面および開口部の壁面を撥液性にする撥インク化工程と、冷却工程とで構成する。
【００７１】
すなわち、基材（バンクなどを含む基板２０）を所定温度、例えば７０〜８０℃程度に加熱し、次いで親インク化工程として大気雰囲気中で酸素を反応ガスとするプラズマ処理（Ｏ2プラズマ処理）を行う。次いで、撥インク化工程として大気雰囲気中で４フッ化メタンを反応ガスとするプラズマ処理（ＣＦ4プラズマ処理）を行い、その後、プラズマ処理のために加熱された基材を室温まで冷却することで、親液性および撥液性が所定箇所に付与されることとなる。
【００７２】
なお、このＣＦ4プラズマ処理においては、画素電極２３の電極面２３ｃおよび親液性制御層２５についても多少の影響を受けるが、画素電極２３の材料であるＩＴＯおよび親液性制御層２５の構成材料であるＳｉＯ2、ＴｉＯ2などはフッ素に対する親和性に乏しいため、親インク化工程で付与された水酸基がフッ素基で置換されることがなく、親液性が保たれる。
【００７３】
次いで、正孔輸送層形成工程によって正孔輸送層７０の形成を行う。この正孔輸送層形成工程では、例えばインクジェット法等の液滴吐出法や、スクリーン印刷法などにより、正孔輸送層材料を電極面２３ｃ上に塗布し、その後、乾燥処理および熱処理を行い、電極２３上に正孔輸送層７０を形成する。正孔輸送層材料を例えばインクジェット法で選択的に塗布する場合には、まず、インクジェットヘッド（図示略）に正孔輸送層材料を充填し、インクジェットヘッドの吐出ノズルを親液性制御層２５に形成された前記開口部２５ａ内に位置する電極面２３ｃに対向させ、インクジェットヘッドと基材（基板２０）とを相対移動させながら、吐出ノズルから１滴当たりの液量が制御された液滴を電極面２３ｃに吐出する。次に、吐出後の液滴を乾燥処理し、正孔輸送層材料に含まれる分散媒や溶媒を蒸発させることにより、正孔輸送層７０を形成する。
【００７４】
ここで、吐出ノズルから吐出された液滴は、親液性処理がなされた電極面２３ｃ上にて広がり、親液性制御層２５の開口部２５ａ内に満たされる。その一方で、撥インク処理された有機バンク層２２１の上面では、液滴がはじかれて付着しない。したがって、液滴が所定の吐出位置からはずれて有機バンク層２２１の上面に吐出されたとしても、該上面が液滴で濡れることがなく、弾かれた液滴が親液性制御層２５の開口部２５ａ内に転がり込む。
なお、この正孔輸送層形成工程以降は、正孔輸送層７０および発光層６０の酸化を防止すべく、窒素雰囲気、アルゴン雰囲気などの不活性ガス雰囲気で行うのが好ましい。
【００７５】
次いで、発光層形成工程によって発光層６０の形成を行う。この発光層形成工程では、例えば前記のインクジェット法により、発光層形成材料を正孔輸送層７０上に吐出し、その後、乾燥処理および熱処理を行うことにより、有機バンク層２２１に形成された開口部２２１ａ内に発光層６０を形成する。この発光層形成工程では、正孔輸送層７０の再溶解を防止するため、発光層形成材料に用いる溶媒として、正孔輸送層７０に対して不溶な無極性溶媒を用いる。
なお、この発光層形成工程では、前記のインクジェット法によって例えば青色（Ｂ）の発光層形成材料を青色の表示領域に選択的に塗布し、乾燥処理した後、同様にして緑色（Ｇ）、赤色（Ｒ）についてもそれぞれその表示領域に選択的に塗布し、乾燥処理する。
また、必要に応じて、前述したようにこのような発光層６０の上に電子注入層を形成してもよい。
【００７６】
次いで、図１０（ｎ）に示すように、陰極層形成工程によって陰極５０の形成を行う。この陰極層形成工程では、例えばイオンプレーティング法等の物理気相成長法によって減圧下でＩＴＯを成膜して、陰極５０とする。ターゲット原料としてＩｎＳｎＯを用いる。導入ガスをＡｒ、Ｏ2として成膜を行い、厚さ１００ｎｍのＩＴＯ膜を作製し、陰極５０とする。このとき、この陰極５０については、前記発光層６０と有機バンク層２２１及び囲み部材２０１の上面を覆うのはもちろん、囲み部材２０１の外側部を形成する面２０１ａについてもこれを覆った状態となるように形成する。
【００７７】
次いで、図１０（ｏ）に示すように陰極５０を覆って、すなわち基体２００上にて露出する陰極５０の全ての部位を覆った状態に紫外線吸収層３０を形成する。この紫外線吸収層３０の形成方法としては、プラズマダメージを防ぐために、低パワーで成膜できる方法が採用される。例えば本例では、成膜装置としてイオンプレーティング成膜装置を用い、真空度を１．０×１０-2Ｐａとして酸化チタンまたは酸化亜鉛を厚さ１０ｎｍ〜１００ｎｍ、好ましくは５０ｎｍ程度成膜して紫外線吸収層３０とする。
【００７８】
次いで、紫外線吸収層３０を覆って、すなわち基体２００上にて露出する紫外線吸収層３０の全ての部位を覆った状態にガスバリア層４０を形成する。このガスバリア層４０の形成工程は、低温プラズマ雰囲気下の気相成長法によって行う。具体的には、成膜装置として高密度プラズマＣＶＤ装置を用い、原料ガスとしてＳｉＨ4（モノシラン），Ｏ2（酸素），Ｎ2（窒素）を用いる。そして、厚さ３０ｎｍ〜５００ｎｍ、好ましくは１００ｎｍ程度の膜厚の珪素窒酸化物膜を作製し、ガスバリア層４０とする。このように化学的気相成長法でガスバリア層４０を形成することにより、ガスバリア性（酸素や水分に対するバリア性）に優れたものとなる。また、このガスバリア層形成工程で発生する紫外線等の高エネルギーの光は、下地の紫外線吸収層３０を励起させるため、紫外線吸収層３０に強い光触媒作用が生じる。そして、この光触媒作用により、仮に紫外線吸収層３０の表面に有機物等の不純物が付着しても、これが分解，除去され、紫外線吸収層３０表面が清浄に保たれる。これにより、紫外線吸収層３０とガスバリア層４０との密着性が高まり、ガスバリア層４０を欠陥の少ない緻密な膜とすることができる。
【００７９】
このようなＥＬ表示装置１の製造方法にあっては、ガスバリア層４０を形成する前に予め紫外線吸収層３０を形成しているため、高密度プラズマ雰囲気下のガスバリア層形成工程で発生する紫外線等の光はこの紫外線吸収層３０に吸収され、これよりも下層側に配された発光層６０の光劣化を防止することができる。また、このような方法で製造されたＥＬ表示装置１を屋外等で使用する場合、紫外線吸収層３０が外光等に含まれる紫外線を吸収するため、装置の耐光性が向上する。
【００８０】
また、本実施形態の製造方法では、紫外線吸収層３０に光触媒活性を有する材料を用いているため、上記紫外線等の光が単に吸収されるだけでなく、不純物等の分解反応のエネルギーとして積極的に利用され、紫外線吸収層３０の表面をガスバリア層形成工程中、表面が励起したエネルギーを保ちつつ常に清浄な状態に保つことができる。これにより、ガスバリア層４０が欠陥のないより緻密な膜となり、ガスバリア性が高まる。
また、陰極５０，紫外線吸収層３０，ガスバリア層４０の各形成工程を大気圧に戻すことなく減圧下で連続して行っているため、処理を迅速に行うことができる。また、大気圧に戻すことによる不純物の混入がないため、良質な膜が形成される。
【００８１】
また、前記製造方法によって得られたＥＬ表示装置１では、囲み部材２０１の外側部を陰極５０，紫外線吸収層３０，ガスバリア層４０によって覆う状態となる（即ち、発光層６０の外側部側が囲み部材２０１，陰極５０，紫外線吸収層３０，ガスバリア層４０によってガスバリア層に囲まれる）ため、酸素や水分の浸入を確実に防止できる。これにより、酸素や水分による発光層や電極の劣化等が抑えられ、発光素子を長寿命化することができる。
【００８２】
［第２実施形態］
次に、図１１を参照しながら、本発明の第２実施形態に係る電気光学装置について説明する。
本実施形態は、上記第１実施形態の構成において、紫外線吸収層の陰極５０側の界面に窒素を含有させ、紫外線吸収層と陰極との絶縁性を高めたものである。
すなわち、本電気光学装置１’では、陰極５０を覆うように設けられた紫外線吸収層３０’が第１の吸収層３０ａと第２の吸収層３０ｂとの積層膜からなり、この第２の吸収層３０ｂの上にガスバリア層４０が設けられている。
【００８３】
具体的には、陰極５０と接する第１の吸収層３０ａと、ガスバリア層４０と接する第２の吸収層３０ｂとは、それぞれＴｉＯＮ（酸窒化チタン），ＴｉＯ2からなる。ＴｉＯ2に窒素を添加すると絶縁性が高まるため、ガスバリア形成工程で第１の吸収層３０ａが光励起されて生じた電荷が陰極５０側に流れることを防止できる。これにより、このような電荷による発光層６０の劣化が防止され、装置の長寿命化を図ることができる。また、第１の吸収層３０ａに窒素を含有させることで、陰極５０やガスバリア層４０との密着性が高まり、緻密な膜を形成することができる。
【００８４】
なお、本実施形態のように紫外線吸収層３０’を多層膜とする構成以外にも、例えば、酸化物半導体からなる紫外線吸収層の窒素含有量を下層側（即ち、陰極５０側）から連続的に変化させた構造としてもよい。
そして、これ以外は上記第１実施形態と同様であるため、説明を省略する。
【００８５】
したがって、本実施形態では、耐湿性，耐酸素性，耐光性に優れた電気光学装置を製造することができる他、第２の吸収層３０ｂが光励起されて生じた電荷により発光層６０が劣化される事態を回避できることにより、更に装置寿命を長くすることができる。
【００８６】
［第３実施形態］
次に、図１２を参照しながら、本発明の第３実施形態に係る電気光学装置について説明する。
本実施形態は、上記第１実施形態の構成において、ガスバリア層４０の外側を保護層２０４により封止したものである。すなわち、本実施形態では、基板２００上にガスバリア層４０を覆うように保護層２０４が設けられている。この保護層２０４は、ガスバリア層４０側に設けられた接着層２０５と、この上に設けられた保護基板２０６とからなっている。
【００８７】
接着層２０５は、前記ガスバリア層４０に密着し、かつ外部からの機械的衝撃に対して緩衝機能を有するもので、例えばウレタン系、アクリル系、エポキシ系、ポリオレフィン系、シリコーン系などの樹脂で、後述する保護基板２０６より柔軟でガラス転移点の低い材料からなる接着剤によって形成されたものである。なお、このような接着剤には、シランカップリング剤またはアルコキシシランを添加しておくのが好ましく、このようにすれば、形成される接着層２０５とガスバリア層４０との密着性がより良好になり、したがって機械的衝撃耐性が高くなる。また、特にガスバリア層４０が珪素化合物で形成されている場合などでは、シランカップリング剤やアルコキシシランによってこのガスバリア層４０との密着性を向上させることができ、したがってガスバリア層４０のガスバリア性を高めることができる。
【００８８】
保護基板２０６は、接着層２０５上に設けられることにより、保護層２０４の表面側を構成するものであり、耐圧性や耐摩耗性、外部光反射防止性、ガスバリア性、紫外線遮断性などの機能の少なくとも一つを有してなる層である。具体的には、高分子層（ＰＥＴ，アクリル樹脂，ポリカーボネート，ポリオレフィン等のプラスチックフィルム）やＤＬＣ（ダイアモンドライクカーボン）層、ガラスなどによって形成されるものである。
本実施形態において、接着層２０５は本発明の緩衝層を構成し、保護基板２０６は本発明の表面保護層を構成する。なお、この例のＥＬ表示装置においては、トップエミッション型にする場合に前記表面保護層２０６、緩衝層２０５を共に透光性のものにする必要があるが、ボトムエミッション型とする場合にはその必要はない。
【００８９】
このようにガスバリア層４０上に保護層２０４を設ければ、保護基板２０６が耐圧性や耐摩耗性、光反射防止性、ガスバリア性、紫外線遮断性などの機能を有していることにより、発光層６０や陰極５０、さらにはガスバリア層もこの保護基板２０６によって保護することができ、したがって発光素子の長寿命化を図ることができる。
また、接着層２０５が機械的衝撃に対して緩衝機能を発揮するので、外部から機械的衝撃が加わった場合に、ガスバリア層４０やこの内側の発光素子への機械的衝撃を緩和し、この機械的衝撃による発光素子の機能劣化を防止することができる。
【００９０】
［第４実施形態］
次に、図１３を参照しながら、本発明の第４実施形態に係る電気光学装置について説明する。
本実施形態は、上記第３実施形態の構成において、陰極５０と紫外線吸収層３０との間に、下層側から順に陰極保護層（電極保護層）２１、緩衝層２２、緩衝層保護層２４を設けたものである。
【００９１】
緩衝層２２は、主に下地の凹凸形状（バンク構造体によって形成される基板表面の凹凸形状）を平坦化することで、ガスバリア層形成時に基板側からかかる外部応力を分散し、窒化珪素や酸窒化珪素等の珪素化合物からなる硬い被膜のガスバリア層にクラックが生じるのを防止することを目的とする。この緩衝層２２としては、基板側からの応力を吸収するために、ある程度の柔軟性を持つ材料が好ましく、例えば窒素原子を含む透明な有機材料が好適である。また、１４０℃以下の低温で硬化する材料が好ましく、例えばアクリルポリオール，ポリエステルポリオール，ポリウレタンポリオール等を主成分とし、トリレンジイソシアネートやキシリレンジイソシアネート等のイソシアネート化合物を混合して重合した誘導体や、ビスフェノール系エポキシとアミン化合物を混合して重合した誘導体等を好適に採用することができる。なお、緩衝層２２の膜厚は、十分な応力緩和機能を持たせるために、０．５μｍ〜１０μｍが好ましい。また、この緩衝層２２には、後述の陰極保護層２１や緩衝層保護層２４との密着性を向上させるためのシランカップリング剤やシラザン化合物等のシラン化合物、硬化収縮を防止するための微粒子等が混入されていてもよい。
【００９２】
このような緩衝層２２は液相法にて形成することができる。緩衝層２２の形成材料を含む液体材料の塗布方法としては、大面積に均一に塗布することができるスリットコート法、ダイコート法、カーテンコート法等が好適である。液体材料の粘度は、例えば１００ｍＰａ・ｓ以下、より好ましくは１ｍＰａ・ｓ〜３０ｍＰａ・ｓがよい。また、粘度を下げるために有機溶剤で希釈することが好ましい。この場合、陰極や有機発光層は水分を嫌うため、トルエン，キシレン，シクロヘキサン，メチルエチルケトン，酢酸エチル等の親油性有機溶剤で希釈することが望ましい。
【００９３】
陰極保護層２１は、陰極５０と緩衝層２２との接着性を保つとともに、緩衝層２２の形成時に基板を大気暴露することによるガス成分の遮断や、陰極５０に接触する溶媒やアウトガスから陰極５０を保護するといったプロセス工程時の素子保護性を目的として設けられるものであり、例えば窒化珪素や酸窒化珪素等の透明性を有する珪素化合物が好適に採用される。この陰極保護層２１は、例えばＥＣＲプラズマスパッタ法，ＥＣＲ−ＣＶＤ法，ＩＣＰ−ＣＶＤ法，ヘリコン波プラズマＣＶＤ法，表面波プラズマＣＶＤ法，イオンプレーティング法等の高密度プラズマ成膜法にて形成することができる。この際、プラズマダメージを防ぐために低いパワーで成膜することが好ましく、膜厚は１０ｎｍ〜２００ｎｍが好ましい。
【００９４】
緩衝層保護層２４は、紫外線吸収層３０がガスバリア層形成時に励起されて放出された活性電子から緩衝層２２を保護するために設けられるものであり、例えば珪素化合物等の透明な絶縁材料を好適に用いることができる。この緩衝層保護層２４は、例えばＥＣＲプラズマスパッタ法，ＥＣＲ−ＣＶＤ法，ＩＣＰ−ＣＶＤ法，ヘリコン波プラズマＣＶＤ法，表面波プラズマＣＶＤ法，イオンプレーティング法等の高密度プラズマ成膜法にて形成することができる。この成膜条件は陰極保護層２１の成膜条件と同様でよい。なお、緩衝層保護層２４と緩衝層２２との密着性を高めるために、緩衝層保護層２４を形成する前に緩衝層２２の表面を酸素プラズマ処理等により活性化させてもよい。
なお、陰極保護層２１は陰極５０全体を覆う形で形成され、緩衝層２２は陰極保護層２１全体を覆う形で形成され、更に、緩衝層保護層２４は緩衝層２２全体を覆う形で形成されている。
【００９５】
そして、このように形成された緩衝層保護層２４の上には、紫外線吸収層３０とガスバリア層４０とが順に積層されている。ガスバリア層４０は、緩衝層保護層２４全体を覆った状態で珪素化合物等からなるガスバリア性の第２層間絶縁膜２８４に接しており、実表示領域に配置された発光素子は、これらのガスバリア層４０及び第２層間絶縁膜２８４によって包み込まれる形で水分等の侵入から保護されている。そして、このガスバリア層４０の上には更に、パネル全体強度保持とガスバリア層４０等の損傷防止を目的として保護層２０４が設けられている。この保護層２０４は、透明な接着層２０５と透明な保護基板２０６とからなる。
【００９６】
接着層２０５及び保護基板２０６は、それぞれ上記第３実施形態における緩衝層２０５及び表面保護層２０６と同様の材料からなる。すなわち、接着層２０５としては、エポキシ樹脂，アクリル樹脂，ウレタン樹脂，シリコーン樹脂等の透明樹脂材料からなる接着剤を好適に用いることができる。また、低温で硬化させるために、イソシアネート等の硬化剤を添加する２液混合型のものを用いてもよい。また、保護基板２０６としては、ガラスや透明なプラスチックフィルム（ＰＥＴ，アクリル，ポリカーボネート，ポリオレフィン等）等を用いることができる。プラスチックフィルムを用いた場合には、フィルム上に予め接着層２０５を形成することで、貼り合わせに特化した装置構造とすることができ、大面積化への対応が容易となる。なお、保護基板２０６には、紫外線吸収層，光反射防止層，放熱層や、レンズ，ミラー等の光学構造が設けられていてもよい。
なお、保護層２０４は、例えば接着層２０５を保護基板２０６側又はガスバリア層４０上に塗布し、保護基板２０６と基板２００を圧着して貼り合わせ、接着層２０５を１２０℃以下で加熱硬化することにより取り付けられる。
【００９７】
これ以外は上記第３実施形態と同様である。
本実施形態では、ガスバリア層４０の下層側に平坦化膜として緩衝層２２を設けたため、ガスバリア層４０を、より緻密で欠陥の少ない膜とすることができる。
【００９８】
次に、本発明の電子機器を説明する。本発明の電子機器は、前記のＥＬ表示装置（電気光学装置）を表示部として有したものであり、具体的には図１４に示すものが挙げられる。
図１４は、携帯電話の一例を示した斜視図である。図１４において、符号１０００は携帯電話本体を示し、符号１００１は前記のＥＬ表示装置を用いた表示部を示している。
図１４に示す電子機器は、前記ＥＬ表示装置（電気光学装置）を有した表示部を備えているので、表示部を構成するＥＬ表示装置の発光素子の長寿命化が図られたものとなる。
【００９９】
なお、本発明は上述の実施形態に限定されるものではなく、本発明の趣旨を逸脱しない範囲で種々変形して実施することができる。
例えば、上記各実施形態では、ガスバリア層４０を単層として構成したが、このガスバリア層は複数の層からなる多層膜とすることができる。例えば、ガスバリア層を、紫外線吸収層３０側から順に第１のバリア層，第２のバリア層を積層した構造とし、第１のバリア層を酸窒化珪素とし第２のバリア層を窒化珪素としてもよい。これにより、紫外線吸収層とガスバリア層との密着性が高くなり、欠陥の少ない緻密なガスバリア層を形成できる結果、ガスバリア性を一層高めることができる。なお、第１のバリア層や第２のバリア層は、珪素化合物以外でも、例えばアルミナや酸化タンタル、酸化チタンなどの無機化合物からなっていてもよい。このように少なくとも第１のバリア層が無機化合物で形成されていれば、紫外線吸収層が酸化物半導体からなっていることにより、ガスバリア層（第１のバリア層）と紫外線吸収層との密着性はよくなる。
【０１００】
また、上記実施形態では、ＥＬ表示装置としてトップエミッション型の構造を例に挙げて説明したが、本発明はこれに限定されることなく、ボトムエミッション型にも、また、両側に表示光を出射するタイプのものにも適用可能である。特にボトムエミッション型とした場合、陰極５０には透明電極を用いる必要はないが、その場合にも、この陰極５０の少なくともガスバリア層４０と接する面側を、無機酸化物によって形成するのが好ましい。このようにすれば、無機化合物からなる紫外線吸収層３０と陰極５０との密着性がよくなり、紫外線吸収層３０を欠陥の少ない緻密な層とすることができる。
【０１０１】
また、ボトムエミッション型、あるいは両側に発光光を出射するタイプのものとした場合、基体２００に形成するスイッチング用ＴＦＴ１１２や駆動用ＴＦＴ１２３については、発光素子の直下ではなく、親液性制御層２５および有機バンク層２２１の直下に形成するようにし、開口率を高めるのが好ましい。
さらに、各実施形態のＥＬ表示装置では、本発明における第１の電極を陽極として機能させ、第２の電極を陰極として機能させたが、これらを逆にして第１の電極を陰極、第２の電極を陽極としてそれぞれ機能させるよう構成してもよい。ただし、その場合には、発光層６０と正孔輸送層７０との形成位置を入れ替える必要がある。
【０１０２】
また、前記実施形態では本発明の電気光学装置にＥＬ表示装置１を適用した例を示したが、本発明はこれに限定されることなく、基本的に第２の電極が基体の外側に設けられるものであれば、どのような形態の電気光学装置にも適用可能である。
【図面の簡単な説明】
【０１０３】
【図１】本発明の第１実施形態に係る電気光学装置の配線構造を示す模式図である。
【図２】同、電気光学装置の構成を模式的に示す平面図である。
【図３】図２のＡ−Ｂ線に沿う断面図である。
【図４】図２のＣ−Ｄ線に沿う断面図である。
【図５】図３の要部拡大断面図である。
【図６】同、電気光学装置の製造方法を工程順に説明する断面図である。
【図７】図６に続く工程を説明するための断面図である。
【図８】図７に続く工程を説明するための断面図である。
【図９】図８に続く工程を説明するための断面図である。
【図１０】図９に続く工程を説明するための断面図である。
【図１１】本発明の第２実施形態に係る電気光学装置の断面図である。
【図１２】本発明の第３実施形態に係る電気光学装置の断面図である。
【図１３】本発明の第４実施形態に係る電気光学装置の断面図である。
【図１４】本発明の電子機器の一例を示す斜視図である。
【符号の説明】
【０１０４】
１…ＥＬ表示装置（電気光学装置）、２１…陰極保護層（電極保護層）、２２…緩衝層、２３…画素電極（第１の電極）、２４…緩衝層保護層、３０…紫外線吸収層、４０…ガスバリア層、５０…陰極（第２の電極）、６０…発光層（電気光学層）、２００…基板、２０４…保護層、２０５…接着層、２０６…保護基板。
【図１】
2008218423.tif 000004
【図２】
2008218423.tif 000005
【図３】
2008218423.tif 000006
【図４】
2008218423.tif 000007
【図５】
2008218423.tif 000008
【図６】
2008218423.tif 000009
【図７】
2008218423.tif 000010
【図８】
2008218423.tif 000011
【図９】
2008218423.tif 000012
【図１０】
2008218423.tif 000013
【図１１】
2008218423.tif 000014
【図１２】
2008218423.tif 000015
【図１３】
2008218423.tif 000016
【図１４】
2008218423.tif 000017
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
基板と、
前記基板の一方の面に第１の電極、電気光学層、第２の電極の順に積層されて形成された有機ＥＬ素子と、
前記有機ＥＬ素子を覆うように形成されたガスバリア層と、
前記有機ＥＬ素子と前記ガスバリア層との間に、前記有機ＥＬ素子を覆うように形成された紫外線吸収層と、
を有し、
前記紫外線吸収層は無機化合物からなることを特徴とする電気光学装置。
【請求項２】
前記紫外線吸収層は第１吸収層と、前記第１吸収層よりも前記ガスバリア層側に形成された第２吸収層と、を有し、
前記第１吸収層には窒素を含有することを特徴とする請求項１に記載の電気光学装置。
【請求項３】
前記有機ＥＬ素子と前記紫外線吸収層との間に、応力緩和機能を有する緩衝層と、
前記緩衝層と前記紫外線吸収層との間に、絶縁材料からなる緩衝層保護層と、
をさらに有することを特徴とする請求項１または２に記載の電気光学装置。
【請求項４】
前記紫外線吸収層は、２ｅＶから６ｅＶまでのエネルギーギャップを有する半導体材料であることを特徴とする請求項１から３のいずれか一項に記載の電気光学装置。
【請求項５】
前記紫外線吸収層は、白金、金、銀、銅のうち少なくとも一つの元素をさらに含有することを特徴とする請求項４に記載の電気光学装置。
【請求項６】
前記紫外線吸収層は光透過性を有することを特徴とする請求項１から５のいずれか一項に記載の電気光学装置。
【請求項７】
前記ガスバリア層の上に保護層が設けられたことを特徴とする、請求項１から６のいずれか一項に記載の電気光学装置。
【請求項８】
前記保護層の上に表面保護層が設けられたことを特徴とする、請求項７に記載の電気光学装置。
【請求項９】
請求項１から８のいずれか一項に記載の電気光学装置を備えたことを特徴とする、電子機器。
【手続補正３】
【補正対象書類名】明細書
【補正対象項目名】０００７
【補正方法】変更
【補正の内容】
【０００７】
本発明の一実施形態に係る電気光学装置は、基板と、前記基板の一方の面に第１の電極、電気光学層、第２の電極の順に積層されて形成された有機ＥＬ素子と、前記有機ＥＬ素子を覆うように形成されたガスバリア層と、前記有機ＥＬ素子と前記ガスバリア層との間に、前記有機ＥＬ素子を覆うように形成された紫外線吸収層と、を有し、前記紫外線吸収層は無機化合物からなることを特徴とする。
また  本発明の一実施形態に係る電気光学装置は、前記第１配線は前記第２配線よりも高電位に接続し、前記第２配線は前記第１電位よりも低電位に接続することを特徴とする。
また  本発明の一実施形態に係る電気光学装置は、前記紫外線吸収層は第１吸収層と、前記第１吸収層よりも前記ガスバリア層側に形成された第２吸収層と、を有し、前記第１吸収層には窒素を含有することを特徴とする。
また  本発明の一実施形態に係る電気光学装置は、前記有機ＥＬ素子と前記紫外線吸収層との間に、応力緩和機能を有する緩衝層と、前記緩衝層と前記紫外線吸収層との間に、絶縁材料からなる緩衝層保護層と、をさらに有することを特徴とする。
また  本発明の一実施形態に係る電気光学装置は、前記紫外線吸収層は、２ｅＶから６ｅＶまでのエネルギーギャップを有する半導体材料であることを特徴とする。
また  本発明の一実施形態に係る電気光学装置は、前記紫外線吸収層は光透過性を有することを特徴とする。
また  本発明の一実施形態に係る電気光学装置は、前記ガスバリア層の上に保護層が設けられたことを特徴とする。
また  本発明の一実施形態に係る電気光学装置は、 前記保護層の上に表面保護層が設けられたことを特徴とする。
また  本発明の一実施形態に係る電子機器は、上記に記載の電気光学装置を備えることを特徴とする。
本発明の参考例に係る電気光学装置の製造方法は、基板上に、少なくとも第１の電極，電気光学層，第２の電極を順に積層してなる電気光学素子を有する電気光学装置の製造方法であって、気相成長法により、上記基板上に、上記電気光学素子を覆うように紫外線吸収層を形成する工程と、プラズマ雰囲気を伴う気相成長法により、上記紫外線吸収層を覆うようにガスバリア層を形成する工程とを備えたことを特徴とする。
【手続補正４】
【補正対象書類名】明細書
【補正対象項目名】００２０
【補正方法】変更
【補正の内容】
【００２０】
本発明の参考例に係る電気光学装置は、上述の製造方法により製造され、基板上に第１の電極，電気光学層，第２の電極，紫外線吸収層，ガスバリア層が順に積層されたことを特徴とする。
本構成によれば、屋外等での通常使用時において、外光に含まれる紫外線を上記紫外線吸収層により吸収することで耐光性を向上でき、ガスバリア層による耐湿性及び耐酸素性の向上とともに、装置の長寿命化を図ることができる。
このような電気光学装置では、ガスバリア層の上に保護層を設けて電気光学層や電極等を保護することが望ましい。また、この際、保護層の上に、更に、耐圧性，耐磨耗性，光反射防止性，ガスバリア性，紫外線遮蔽性等の機能を有する表面保護層を設けることが好ましい。これにより、電気光学層層や電極等の他、紫外線吸収層やガスバリア層をも保護することができる。
なお、上記保護層は、上記ガスバリア層に密着し、且つ、機械的衝撃に対して緩衝機能を有する緩衝層を有することが好ましい。このように緩衝層を設けて機械的衝撃を緩和させることで、装置の耐衝撃性を高めることができる。
【手続補正５】
【補正対象書類名】明細書
【補正対象項目名】００２１
【補正方法】変更
【補正の内容】
【００２１】
また、本発明の参考例に係る電子機器は、上述の電気光学装置を備えたことを特徴とする。これにより、耐湿性，耐酸素性，耐光性に優れた電子機器を提供することができる。